(57)【要約】      （修正有）【課題】組み立てが容易で取り付けが簡便で、テレビに転倒防止具を取り付たけ後にテレビの前面からの外観を大きく損なわないテレビ転倒防止具を提供する。【解決手段】テレビ転倒防止具は、ベルト２の端部に壁掛けテレビの背面の左右にある転倒防止用のねじ穴１１に固定されるテレビ取り付け部３を備える。テレビ取り付け部の間のベルトの中間部に、壁掛けテレビが置かれる載置台に固定される載置台取り付け部４を備える。ベルトの長さが、テレビ取り付け部をテレビへ固定し、載置台取り付け部を載置台へ固定した状態で該ベルトを壁掛けテレビの脚部１２の前方を経由して掛けまわすことができる長さを有する。【選択図】図２
2018056880.tif 000002
【特許請求の範囲】
【請求項１】
ベルトの端部に壁掛けテレビの背面の左右にある転倒防止用のねじ穴に固定されるテレビ取り付け部を備え、
前記テレビ取り付け部の間の前記ベルトの中間部に、前記壁掛けテレビが置かれる載置台に固定される載置台取り付け部を備え、
前記ベルトの長さが、前記テレビ取り付け部を前記テレビへ固定し、前記載置台取り付け部を前記載置台へ固定した状態で該ベルトを前記壁掛けテレビの脚部の前方を経由して掛けまわすことができる長さであることを特徴とするテレビ転倒防止具。
【請求項２】
前記テレビ転倒防止具が、長さ調整部を有することを特徴とする請求項１に記載のテレビ転倒防止具。
【請求項３】
前記テレビ転倒防止具が、前記テレビ取り付け部と前記載置台取り付け部との間に前記ベルトの一部を内装したパイプを有することを特徴とする請求項１または２に記載のテレビ転倒防止具。
【請求項４】
前記テレビ取り付け部が前記ベルトの長さを調整する長さ調整部を有することを特徴とする請求項３に記載のテレビ転倒防止具。
【請求項５】
ベルトを壁掛けテレビの背面の左右とテレビが置かれる載置台へ固定し、前記ベルトの中間部をテレビの脚の前方に回して前記テレビの転倒を防ぐテレビ転倒防止方法。
【発明の詳細な説明】
【技術分野】
【０００１】
本発明は、机、専用ラック、棚等の載置台などの載置台の上に置かれる壁掛けテレビの転倒を防止するテレビ転倒防止具に関するものである。。
【背景技術】
【０００２】
従来、地震や意図しない何らかの物品の衝突等における振動、揺れ及び傾きでテレビが転倒することを防止する装置が種々提案されている。
【０００３】
たとえば、特許文献１に開示される転倒防止装置はテレビの液晶表示画面部枠体の上下各々の左右に係合止め用の鍵型アームを設け、これに上下と前後に位置調節可能に支持連結するスタンドアームなどを備えており、載置台固定取り付け用の固定台に水平旋回可能に連結支持している。
【先行技術文献】
【特許文献】
【０００４】
【特許文献１】特開２０１２−２３５４３３号公報
【発明の概要】
【発明が解決しようとする課題】
【０００５】
しかしながら、特許文献１に開示される載置テレビ転倒防止装置は、その構造上、多数のアームを使用しなければならないため、組み立てが難しく取り付けが困難となる課題があった。
【０００６】
また、特許文献１に開示される載置テレビ転倒防止装置は、テレビ画面の上下部分に押さえ金具が取り付けられるので、前面から見た際に外観が損なわれるという課題があった。
【０００７】
この発明の目的は、上述した事情に鑑みなされたもので、組み立てが容易で取り付けが簡便なテレビのテレビ転倒防止具を提供することである。
【０００８】
また、この発明の別の目的は、テレビ転倒防止具を取り付たけ後にテレビの前面からの外観を大きく損なわないテレビのテレビ転倒防止具を提供することである。
【課題を解決するための手段】
【０００９】
本発明のテレビ転倒防止具は、ベルトの端部に壁掛けテレビの背面の左右にある転倒防止用のねじ穴に固定されるテレビ取り付け部を備え、前記テレビ取り付け部の間の前記ベルトの中間部に、前記壁掛けテレビが置かれる載置台に固定される載置台取り付け部を備え、前記ベルトの長さが、前記テレビ取り付け部を前記テレビへ固定し、前記載置台取り付け部を前記載置台へ固定した状態で該ベルトを前記壁掛けテレビの脚部の前方を経由して掛けまわすことができる長さであることを特徴とする。
【００１０】
テレビに固定されるテレビ取り付け部と、載置台へ固定される載置台取り付け部の間がベルトに結ばれて、ベルトがテレビの脚の前方を回っているので、テレビの前方への転倒と、脚が前方へせり出して転倒することを防ぐことができる。
【００１１】
本発明のテレビ転倒防止具は、長さ調整部を有することを特徴とする。
【００１２】
本発明のテレビ転倒防止具が長さ調整部を有するので様々な大きさのテレビの転倒防止を行うことが容易にできる。
【００１３】
本発明のテレビ転倒防止具は、前記テレビ取り付け部と前記載置台取り付け部との間に前記ベルトの一部を内装したパイプを有することことを特徴とする。
【００１４】
本発明のテレビ転倒防止具は、テレビの背面に固定されるテレビ取り付け部と載置台へ固定される載置台取り付け部との間に前記ベルトの一部を内装したパイプがあるので、テレビの背面と載置台の距離が固定されることで、テレビの後方への倒れこみが防止される。
【００１５】
本発明のパイプを備えたテレビ転倒防止具は、前記テレビ取り付け部がベルトの長さを調整する長さ調整部を有することを特徴とする。
【００１６】
本発明のパイプを備えたテレビ転倒防止具は、前記長さ調整部が前記テレビ取り付け部に備えていので、ベルトの中間部にベルトの長さ調整部を設けなくても簡便にベルトの長さ調節ができる。
【００１７】
本発明は、ベルトを壁掛けテレビの背面の左右とテレビが置かれる載置台へ固定し、前記ベルトの中間部をテレビの脚の前方に回して前記テレビの転倒を防ぐテレビ転倒防止方法である。
【００１８】
ベルトを壁掛けテレビの背面の左右とテレビが置かれる載置台へ固定し、前記ベルトの中間部をテレビの脚の前方へ回しているので、テレビの転倒と前方への滑り出しを防止することができる。
【図面の簡単な説明】
【００１９】
【図１】テレビ取り付け部３と載置台取り付け部４と長さ調整部５を組み合わせた第１実施例のテレビ転倒防止具の説明図である。
【図２】第１実施例のテレビ転倒防止具がテレビ背面と載置台へ取り付けられた様子を示す説明図である。
【図３】壁掛けテレビ背面にある壁掛け用ねじ穴の説明図である。
【図４】第２実施例のパイプ付きテレビ転倒防止具の説明図である。
【図５】第２実施例のパイプ付きテレビ転倒防止具がテレビ背面と載置台へ取り付けられた様子を示す説明図である。
【図６】第１実施例のテレビ転倒防止具を取り付ける際の説明図である。
【図７】第２実施例の長さ調整部の説明図である。
【図８】第２実施例のテレビ転倒防止具を取り付ける際の説明図である。
【発明を実施するための形態】
【００２０】
（第1実施例）
以下、本発明の実施形態１を図面に基づいて説明する。本発明のテレビ転倒防止具の対象となる壁掛けテレビの背面には図３に示すように壁掛けの際の取り付けねじ穴１１が備えられている。図１は本発明のテレビ転倒防止具であってベルト２に複数の部品が取り付けられている。ベルト２の両端にはテレビの背面にある取り付けねじ穴１１へねじ止めするテレビ取り付け部３を備える。また、ベルトの中間部にはテレビが置かれる載置台１５に接着材や両面テープなどで固定される載置台取り付け部４を備える。さらに、ベルトの長さを調整する長さ調整部５を備える。
【００２１】
図２は、第1実施例のテレビ転倒防止具を壁掛けテレビへ取り付けた様子をしめす。載置台１５に置かれたテレビの背面に２つのテレビ取り付け部３を取り付け、載置台１５のテレビ背面の適宜な位置へ載置台取り付け部４を接着材や両面テープなどで固定する。載置台取り付け部４の載置台への固定はねじなどを用いても良い。
【００２２】
テレビの背面から載置台１５へ張られるベルト２は、さらにテレビの脚１２の前を回って再び載置台取り付け部４へ入る。ベルト２がテレビの脚１２の前に回されることでテレビ全体がテレビの画面方向へずれることを防止るすることができる。
【００２３】
次に、図６を用いて本発明の第1実施例のテレビ転倒防止具を適用する段取りを説明する。図６（Ａ）のように、ベルト２の中央部をテレビの脚１２の前方へ回す。次に、載置台１５のテレビ背面に当たる適宜な位置へ載置台取り付け部４を固定する。２つの載置台取り付け部４を取り付けたのち、テレビ取り付け部３をテレビの背面にあるある壁掛け用の取り付けねじ穴へねじで固定する。そして、図６（Ｃ）にあるように、長さ調整部５用いてベルトの張り具合を調整する。余ったベルトは、図６（Ｃ）にあるようにベルト通し６へ通してベルトを収める。
【００２４】
（第２実施例）
次に本発明の実施形態２を図面に基づいて説明する。本発明のテレビ転倒防止具の対象となる壁掛けテレビの背面には図３に示すように壁掛けの際の取り付けねじ穴１１が備えられている。図４は本発明の第２実施例のテレビ転倒防止具４０であってベルトに複数の部品が取り付けられている。ベルト４２の両端にテレビの背面にある取り付けねじ穴１１へねじ止めするテレビ取り付け部４３を備える。また、ベルトの中間部にはテレビが置かれる載置台１５に接着材や両面テープなどで固定される載置台への取り付け部４４を備える。ここでベルトの長さを調整する長さ調整部はテレビ取り付け部４３に備えられる。
【００２５】
図５は、第２実施例のテレビ転倒防止具を壁掛けテレビへ取り付けた様子を示す。載置台１５に置かれたテレビの背面に２つのテレビ取り付け部４３を取り付け、載置台１５のテレビベース周辺の適宜な位置へ載置台取り付け部４４を接着在や両面テープなどで固定する。載置台取り付け部４４の載置台への固定はねじなどを用いても良い。ここで、第1実施例と異なるのは、テレビ取り付け部４３と載置台取り付け部４４の間にベルト４２が挿通されているパイプ４５が設けられていることである。パイプ４５はその長さが固定されるので、テレビの背面と載置台の間の寸法が固定される。
【００２６】
テレビ背面から載置台１５へ取り廻されるベルト４２は、さらにテレビの脚の前を回って再び載置台取り付け部４４へ入る。ベルト４２がテレビの脚１２の前に回されることでテレビ全体がテレビの画面方向へずれることを防止することができる。
【００２７】
ここで、図７を用いてテレビ取り付け部４３のベルトの長さ調整部の説明をする。テレビ取り付け部４３にはベース部４３０の上に立設された２つのガイド部４３１があって、ベルトはこの二つのガイド部４３１の間を通る。ガイド部４３１のベース部からベルトの厚みの２倍以上離れている部分にベルト長さ調整用の第１ブリッジ部４３２、第２ブリッジ部４３３が設けられている。
【００２８】
最初にベルトは図７（Ａ）にあるように、２本のブリッジ部４３２，４３３の下を通す。第２ブリッジ部の先でベルトを折り返し、図７（Ｂ）に示すように第１ブリッジ部と最初に通したベルトの間へ折り返したベルトを挿入する。
【００２９】
第２ブリッジ部とベルトの折り返し部分との間に隙間を開けた状態でベルトの端を引くことでベルトの長さを調整するこができる。
【００３０】
次に、図８を用いて本発明の第２実施例のテレビ転倒防止具をテレビへ取り付ける段取りを説明する。図８（Ａ）のように、テレビ取り付け部４３をねじでテレビの背面にあるねじ穴へ止める。ここでは、載置台取り付け部４４の裏面にある接着剤保護シートはつけたままにしておく。
【００３１】
次に、図８（Ｂ）に示すように、パイプ４５の長さで決まる位置へ載置台取り付け部４４をテレビの背面の位置で載置台１５へ固定する。ベルトをテレビの脚１２の前に回して、左側も同様にテレビ取り付け部４３と載置台取り付け部４４を固定する。
【００３２】
左右のテレビ取り付け部４３と載置台取り付け部４４の固定が終わったら、図８（Ｃ）に示すようにベルトの端を手でもって引っ張り、ベルトに適宜な張力を与えて、テレビ転倒防止具の取り付けを完了する。
【００３３】
上記に説明したように、壁掛けテレビの背面とテレビが置かれる載置台へ固定されるベルトをテレビの脚の前方を回って固定することで、テレビの転倒防止とともに、テレビの前方への滑り出しを防止することができる。
【００３４】
本発明によるテレビ転倒防止具は、構造が簡単で組み立て、取り付けが容易であるとともにテレビの前面からみた外観を大きく損ねることなくテレビの転倒を防止するという効果を持ち、産業に役立つものである。
【符号の説明】
【００３５】
１  テレビ転倒防止具
２  ベルト
３  テレビ取り付け部
４  載置台取り付け部
５  長さ調整部
６  ベルト通し
１０  壁掛けテレビ
１１  取り付けねじ穴
１２  テレビ脚
１３  テレビベース
１５  載置台
４０  テレビ転倒防止具（第２実施例）
４２  ベルト
４３  載置台取り付け部
４３０  ベース部
４３１  ガイド部
４３２  第１ブリッジ部
４３３  第２ブリッジ部
４４  載置台取り付け部
４５  パイプ
【図１】
2018056880.tif 000003
【図２】
2018056880.tif 000004
【図３】
2018056880.tif 000005
【図４】
2018056880.tif 000006
【図５】
2018056880.tif 000007
【図６】
2018056880.tif 000008
【図７】
2018056880.tif 000009
【図８】
2018056880.tif 000010